(57)【要約】  本発明は、ＲＲＣ状態の切替え方法、ｅＮＢ（１０４）およびＵＥを提供する。本発明に係るｅＮＢ（１０４）は、セル内のＭＢＭＳ・ＵＥとデータ通信を行う送受信ユニット（１０４０）と、システムの現在利用可能なＲＲＣ接続数を算出する算出ユニット（１０４２）と、システムの現在利用可能なＲＲＣ接続数および接続数の閾値に基づいて、ＭＢＭＳ・ＵＥのＲＲＣ状態の切替えが必要か否かを確認する実行判定ユニット（１０４４）と、この実行判定ユニット（１０４４）によりＭＢＭＳ・ＵＥのＲＲＣ状態の切替えが必要であると確認された場合、送受信ユニット（１０４０）を介して、セル内のすべてのＭＢＭＳ・ＵＥに測定報告要求を送信する要求ユニット（１０４６）と、接続数の閾値と、送受信ユニット（１０４０）を介してＭＢＭＳ・ＵＥから受信されたパラメータ測定データに基づいて、パラメータの精確基準測定閾値を確定し、当該精確基準測定閾値を、さらに送受信ユニット（１０４０）を介して、セル内のすべてのＭＢＭＳ・ＵＥに送信する精確確定ユニット（１０４８）とを備えている。
2009116614.tif 000002
【特許請求の範囲】
【請求項１】
セル内のマルチメディアブロードキャスト・マルチキャストサービスを利用するユーザ装置とデータ通信を行う送受信ユニットと、
システムの現在利用可能な無線資源制御接続数を算出する算出ユニットと、
システムの現在利用可能な無線資源制御接続数および接続数の閾値に基づいて、マルチメディアブロードキャスト・マルチキャストサービスを利用するユーザ装置の無線資源制御状態を切替える必要があるか無いかを判定する実行判定ユニットと、
上記実行判定ユニットによりマルチメディアブロードキャスト・マルチキャストサービスを利用するユーザ装置の無線資源制御状態を切替える必要があると判定された場合、上記送受信ユニットを介して、セル内のマルチメディアブロードキャスト・マルチキャストサービスを利用する全ユーザ装置に測定報告要求を送信する要求ユニットと、
上記接続数の閾値と、上記送受信ユニットを介してマルチメディアブロードキャスト・マルチキャストサービスを利用するユーザ装置から受信されたパラメータの測定データとに基づいて、パラメータの精確基準測定閾値を確定し、当該精確基準測定閾値を、上記送信／受信ユニットを介して、セル内のマルチメディアブロードキャスト・マルチキャストサービスを利用する全ユーザ装置に送信する精確確定ユニットとを備える基地局。
【請求項２】
統計データまたは静的システムのパラメータによって、パラメータの概略基準測定閾値を確定する概略確定ユニットをさらに備え、
上記要求ユニットは、上記送受信ユニットを介して、セル内のマルチメディアブロードキャスト・マルチキャストサービスを利用する全ユーザ装置に、パラメータの概略基準測定閾値を送信することを特徴とする請求項１に記載の基地局。
【請求項３】
上記パラメータは、リファレンス信号の受信電力、チャネル品質インジケータ、パスロスの中の少なくとも一つを含むことを特徴とする請求項１または２に記載の基地局。
【請求項４】
上記概略確定ユニットおよび上記精確確定ユニットは、同じパラメータに対して、概略基準測定閾値および精確基準測定閾値を確定することを特徴とする請求項２に記載の基地局。
【請求項５】
上記概略確定ユニットおよび上記精確確定ユニットは、異なるパラメータに対して、別々に概略基準測定閾値および精確基準測定閾値を確定することを特徴とする請求項２に記載の基地局。
【請求項６】
上記算出ユニットは、現在確立済の無線資源制御接続数Ｎｃおよびシステムの最大利用可能な無線資源制御接続数Ｎｍａｘに基づいて、システムの現在利用可能な無線資源制御接続数Ｎａ＝Ｎｍａｘ−Ｎｃを算出することを特徴とする請求項１から５のいずれか一項に記載の基地局。
【請求項７】
上記接続数の閾値Ｎｔｈは、上記実行判定ユニットにより予め或いは動的に設定されており、
上記現在利用可能な無線資源制御接続数Ｎａが上記接続数の閾値Ｎｔｈより小さい場合、上記実行判定ユニットは、マルチメディアブロードキャスト・マルチキャストサービスを利用するユーザ装置の無線資源制御状態を切替える必要があると判定することを特徴とする請求項１記載の基地局。
【請求項８】
上記送受信ユニットを介してマルチメディアブロードキャスト・マルチキャストサービスを利用するユーザ装置から無線資源制御接続の要求を受取ると、上記送受信ユニットを介して、上記無線資源制御接続の要求を送信したマルチメディアブロードキャスト・マルチキャストサービスを利用するユーザ装置に、無線資源制御接続の開放情報を送信するとともに、当該マルチメディアブロードキャスト・マルチキャストサービスを利用するユーザ装置に対して臨時確立した無線資源制御の接続資源を開放する開放ユニットをさらに備えることを特徴とする請求項１または２に記載の基地局。
【請求項９】
上記実行判定ユニットによりマルチメディアブロードキャスト・マルチキャストサービスを利用するユーザ装置の無線資源制御状態を切替える必要がないと判定された場合、上記実行判定ユニットは、所定時間ウェイトし、上記算出ユニットを再起動することを特徴とする請求項１または２に記載の基地局。
【請求項１０】
マルチメディアブロードキャスト・マルチキャストサービスのセッションが終了したか否かを判定し、マルチメディアブロードキャスト・マルチキャストサービスのセッションが未終了であれば、所定時間ウェイトし、上記算出ユニットを再起動するセッション判定ユニットをさらに備えることを特徴とする請求項１または２に記載の基地局。
【請求項１１】
所属するセル内の基地局とデータ通信を行う送受信ユニットと、
上記送受信ユニットを介して上記所属するセル内の基地局から受信した測定報告要求に応じて、パラメータを測定し、さらに上記送受信ユニットを介して測定したパラメータのデータを報告する報告ユニットと、
上記送受信ユニットを介して上記所属するセル内の基地局から受信したパラメータの精確基準測定閾値、ユーザ装置自体のパラメータ実際測定値およびユーザ装置自体の無線資源制御状態によって、無線資源制御状態の切替えを起動するか否かを判定する起動判定ユニットとを備えることを特徴とするユーザ装置。
【請求項１２】
上記報告ユニットは、ユーザ装置自体のパラメータ実際測定値、および上記送受信ユニットを介して上記所属するセル内の基地局から受信したパラメータの概略基準測定閾値に基づいて、パラメータの測定データを報告するか否かを判定することを特徴とする請求項１１に記載のユーザ装置。
【請求項１３】
上記パラメータは、リファレンス信号の受信電力、チャネル品質インジケータ、パスロスの中の少なくとも一つを含むことを特徴とする請求項１１または１２に記載のユーザ装置。
【請求項１４】
上記パラメータの精確基準測定閾値および上記パラメータの概略基準測定閾値は、同じパラメータに対して確定されることを特徴とする請求項１２に記載のユーザ装置。
【請求項１５】
上記パラメータの精確基準測定閾値および上記パラメータの概略基準測定閾値は、異なるパラメータに対して別々に確定されることを特徴とする請求項１２に記載のユーザ装置。
【請求項１６】
ユーザ装置の状態が、無線資源制御の接続状態であるか、アイドル状態であるかを確認する状態確認ユニットをさらに備え、そのうち、
上記状態確認ユニットにより、上記ユーザ装置が無線資源制御の接続状態にあると確定された場合、上記報告ユニットは、上記測定報告要求に応じて、直接上記パラメータの測定データを報告し、
上記状態確認ユニットにより、上記ユーザ装置が無線資源制御のアイドル状態にあると確定された場合、上記報告ユニットは、上記測定報告要求に応じて、まず上記送信／受信ユニットを介してランダム接続の要求を送信し、上記送受信ユニットを介してランダム接続の応答を受取った場合、さらに上記送受信ユニットを介し、無線資源制御接続の確立要求を利用して、パラメータの測定データを報告することを特徴とする請求項１１または１２に記載のユーザ装置。
【請求項１７】
システムの現在利用可能な無線資源制御接続数を算出する算出ステップと、
システムの現在利用可能な無線資源制御接続数および接続数の閾値に基づいて、マルチメディアブロードキャスト・マルチキャストサービスを利用するユーザ装置の無線資源制御状態を切替える必要があるか無いかを判定する実行判定ステップと、
マルチメディアブロードキャスト・マルチキャストサービスを利用するユーザ装置の無線資源制御状態を切替える必要があると確定された場合、セル内のマルチメディアブロードキャスト・マルチキャストサービスを利用する全ユーザ装置に測定報告要求を送信する要求ステップと、
マルチメディアブロードキャスト・マルチキャストサービスを利用するユーザ装置が、受信した上記測定報告要求に応じてパラメータを測定し、その測定データを報告する報告ステップと、
上記接続数の閾値および上記報告した測定データに基づいてパラメータの精確基準測定閾値を確定し、当該精確基準測定閾値をセル内のマルチメディアブロードキャスト・マルチキャストサービスを利用する全ユーザ装置に送信する精確確定ステップと、
マルチメディアブロードキャスト・マルチキャストサービスを利用する各ユーザ装置が、受信したパラメータの精確基準測定閾値、自体のパラメータ実際測定値および自体の無線資源制御状態によって、無線資源制御状態の切替えを起動するか否かを判定する起動判定ステップとを備えることを特徴とする無線資源制御状態の切替え方法。
【請求項１８】
統計データまたは静的システムのパラメータによって、パラメータの概略基準測定閾値を確定する概略確定ステップをさらに備え、
上記要求ステップにおいて、マルチメディアブロードキャスト・マルチキャストサービスを利用する全ユーザ装置に概略基準測定閾値を送信し、
上記報告ステップにおいて、マルチメディアブロードキャスト・マルチキャストサービスを利用するユーザ装置は、自体のパラメータ実際測定値および受信したパラメータの概略基準測定閾値に基づいて、バラメータの測定データを報告するか否かを判定することを特徴とする請求項１７に記載の無線資源制御状態の切替え方法。
【請求項１９】
上記パラメータは、リファレンス信号の受信電力、チャネル品質インジケータ、パスロスの中の少なくとも一つを含むことを特徴とする請求項１７または１８に記載の無線資源制御状態の切替え方法。
【請求項２０】
上記概略確定ステップおよび上記精確確定ステップにおいて、同じパラメータに対して、概略基準測定閾値および精確基準測定閾値を確定することを特徴とする請求項１８に記載の無線資源制御状態の切替え方法。
【請求項２１】
上記概略確定ステップおよび上記精確確定ステップにおいて、異なるパラメータに対して、別々に概略基準測定閾値および精確基準測定閾値を確定することを特徴とする請求項１８に記載の無線資源制御状態の切替え方法。
【請求項２２】
現在確立済の無線資源制御接続数Ｎｃおよびシステムの最大利用可能な無線資源制御接続数Ｎｍａｘに基づいて、システムの現在利用可能な無線資源制御接続数Ｎａ＝Ｎｍａｘ−Ｎｃを算出することを特徴とする請求項１７から２１のいずれか一項に記載の無線資源制御状態の切替え方法。
【請求項２３】
上記接続数の閾値Ｎｔｈは、予め或いは動的に設定されており、
上記現在利用可能な無線資源制御接続数Ｎａが上記接続数の閾値Ｎｔｈより小さい場合、マルチメディアブロードキャスト・マルチキャストサービスを利用するユーザ装置の無線資源制御状態を切替える必要があると確定することを特徴とする請求項１７から２２のいずれか一項に記載の無線資源制御状態の切替え方法。
【請求項２４】
上記報告ステップにおいて、無線資源制御接続状態にあるマルチメディアブロードキャスト・マルチキャストサービスを利用するユーザ装置は、上記測定報告要求に応じて、直接上記パラメータの測定データを報告することを特徴とする請求項１７または１８に記載の無線資源制御状態の切替え方法。
【請求項２５】
上記報告ステップにおいて、無線資源制御アイドル状態にあるマルチメディアブロードキャスト・マルチキャストサービスを利用するユーザ装置は、上記測定報告要求に応じて、まずランダム接続の確立要求を送信し、ランダム接続の応答を受取った場合、さらに無線資源制御接続の確立要求を利用して、パラメータの測定データを報告することを特徴とする請求項１７または１８に記載の無線資源制御状態の切替え方法。
【請求項２６】
無線資源制御接続の確立要求を受取った後、マルチメディアブロードキャスト・マルチキャストサービスを利用するユーザ装置に、無線資源制御接続の開放情報を送信し、同時に、当該マルチメディアブロードキャスト・マルチキャストサービスを利用するユーザ装置に対して臨時に確立した無線資源制御接続の資源を開放することを特徴とする請求項２５に記載の無線資源制御状態の切替え方法。
【請求項２７】
上記実行判定ステップにおいて、マルチメディアブロードキャスト・マルチキャストサービスを利用するユーザ装置の無線資源制御状態を切替える必要がないと判定された場合、所定時間ウェイトし、算出ステップを再実行することを特徴とする請求項１７または１８に記載の無線資源制御状態の切替え方法。
【請求項２８】
マルチメディアブロードキャスト・マルチキャストサービスのセッションが終了したか否かを判定し、マルチメディアブロードキャスト・マルチキャストサービスのセッションが未終了であれば、所定時間ウェイトし、算出ステップを再実行するセッション判定ステップをさらに備えていることを特徴とする請求項１７または１８に記載の無線資源制御状態の切替え方法。
【請求項２９】
基地局は、無線資源制御接続数に関する判定条件によって、ユーザ装置の無線資源制御状態を切替える必要があるか無いかを判定し、
ユーザ装置は、基地局の制御シグナリングに応じて、パラメータの測定データを報告し、
基地局は、無線資源制御接続数に関する判定条件およびユーザ装置から報告されたパラメータの測定データに基づいて、パラメータの精確基準測定閾値を確定し、
ユーザ装置は、基地局により確定されたパラメータの精確基準測定閾値、自体のパラメータ実際測定値および自体の無線資源制御状態によって、無線資源制御状態の切替えを確定し起動することを特徴とする無線資源制御状態の切替え方法。
【請求項３０】
基地局は、制御シグナリングによって、設定したパラメータの概略基準測定閾値をユーザ装置に通知し、
ユーザ装置は、パラメータの概略基準測定閾値および自体のパラメータ実際測定値によって、パラメータの測定データを報告するか否かを判定することを特徴とする請求項２９に記載の無線資源制御状態の切替え方法。
【請求項３１】
上記パラメータは、リファレンス信号の受信電力、チャネル品質インジケータ、パスロスの中の少なくとも一つを含むことを特徴とする請求項２９または３０に記載の無線資源制御状態の切替え方法。
【請求項３２】
上記パラメータの精確基準測定閾値および上記パラメータの概略基準測定閾値は、同じパラメータに対して設定されたものであることを特徴とする請求項３０に記載の無線資源制御状態の切替え方法。
【請求項３３】
上記パラメータの精確基準測定閾値および上記パラメータの概略基準測定閾値は、異なるパラメータに対して別々設定されたものであることを特徴とする請求項３０に記載の無線資源制御状態の切替え方法。
【発明の詳細な説明】
【技術分野】
【０００１】
本発明は、移動通信技術分野に係り、特に、無線資源制御（ＲＲＣ）状態の切替え方法、基地局およびユーザ装置に関し、通信システムのマルチメディアブロードキャスト・マルチキャストサービス（ＭＢＭＳ）モードで無線資源制御状態の切替えを行う技術に関する。
【背景技術】
【０００２】
図１は移動通信システムのロング・ターム・エボリューション（以下「ＬＴＥ」と略称する）で定義したマルチメディアブロードキャスト・マルチキャストサービス（以下「ＭＢＭＳ」と略称する）システムの構成を示しており、以下、それについて説明する。【０００３】
エボリューション・ブロードキャスト・マルチキャスト・サービスセンター（以下「ｅＢＭ−ＳＣ」と略称する）１０１は、ＭＢＭＳシステムのサービスコントロールセンターである。エボリューション・ブロードキャスト・マルチキャスト・ゲートウェイ（以下「ｅＢＭ−ＧＷ」と略称する）１０２は、ＭＢＭＳデータの伝送に経路を提供し、ＩＰマルチキャスト方式で、ＭＢＭＳデータを対応する各エボリューション基地局に同期して送信（発送）する。エボリューション基地局（以下「ｅＮＢ」と略称する）１０４は、シングルセル（Ｓｉｎｇｌｅ−ｃｅｌｌ）のＭＢＭＳ伝送の資源（無線リソース）をスケジューリングし、およびＭＢＭＳデータの伝送を行う。ユーザ装置（以下「ＵＥ」と略称する）１０５は、ＭＢＭＳデータを受信する端末装置である。【０００４】
現在、ＬＴＥのＭＢＭＳに対する関連問題は既にある程度の共同認識が達成されて、３ＧＰＰの関連文献に記載されている。３ＧＰＰ  ＴＳ  ３６.３００（E-UTRA and E-UTRAN Overall description,stage2，v8.2.0）には２種類の基本的なＭＢＭＳ伝送モードが定義されている。【０００５】
一つは、シングルセルの伝送モード（ＳＣ−ＰＴＭ）であって、当該モードでのＭＢＭＳは１つの特定のセル範囲のみを覆うようになっており、セル内のＵＥは、他のセルから送信された無線信号を結合して合成、増強させることができない。【０００６】
もう一つは、マルチセルの伝送モード（ＭＢＳＦＮ）であって、当該モードでのＭＢＭＳは、同時に複数のセルから送信された無線信号を受信し、それらの信号を合成することができて、ＭＢＭＳ信号受信の信頼性を向上させる。また、当該文献にはＭＢＭＳの受信状態についても説明してある。ＭＢＭＳを利用するＵＥは、ＲＲＣ接続状態あるいはＲＲＣアイドル状態になることが可能であり、受信状態はＵＥのユニキャストサービスの接続状態により決められる。フィードバックを有するＭＢＭＳのＵＥについては、受信状態が必ずＲＲＣ接続状態にあることが必要である。【０００７】
エリクソン（Ericsson）、ＥＴＲＩおよびＬＧＥなどの会社らは、２００７年１１月５日〜９日に韓国の済州島で開催された３ＧＰＰ  ＴＳＧ  ＲＡＮ２  第６０回の会議において、Ｒ２−０７５４５５（Summary of discussion on MBMS reception states for SC-PTM transmission）を提案し、この提案は、シングルセルの伝送モードでのＭＢＭＳを利用するＵＥの受信状態について共同認識を達成した。【０００８】
シングルセルのＭＢＭＳを利用するＵＥは、ＲＲＣ接続（RRC_CONNECTED）状態になってもよく、ＲＲＣアイドル（RRC_IDLE）状態になってもよい。基地局は、シングルセルのＭＢＭＳを利用するＵＥが現在ポイントからポイントへのユニキャスト（Unicast）サービスを受けているか否かに構わず、そのＵＥにＲＲＣ＿ＣＯＮＮＥＣＴＥＤ状態になるように要求することができる。【０００９】
また、同回会議で提案されたＲ２−０７４７０９（MBMS reception state for single-cell transmission）において、エリクソンは、シングルセルのＭＢＭＳを利用する伝送はダウンリンクの共用チャネル（DL_SCH）のみを利用し、且つＭＢＭＳを利用する全ＵＥがＲＲＣ＿ＣＯＮＮＥＣＴＥＤ状態になることを提案した。当該提案には、シングルセル内のＭＢＭＳを利用するＵＥの数が比較的に少ないとの仮設条件が設定されている。ＭＢＭＳを利用するＵＥがＲＲＣ接続状態になると、ＭＢＭＳを利用するＵＥへのシステムの管理に役立っており、ＭＢＭＳシステムの移動性管理過程およびＭＢＭＳを利用するＵＥの認証過程を簡単化することができる。また、ＭＢＭＳを利用するＵＥは、現在のユニキャストシステム中のアップリンクを利用してリンクのフィードバックを行い、このフィードバック情報によって、システムはＭＢＭＳの伝送パラメータを最適化して、ＭＢＭＳのサービス品質を向上することができる。但し、大量のＲＲＣ接続は、システムのシグナリング（指令）オーバーヘッド（signaling overhead）を増やし、資源の利用率を低下させる。また、システムの利用可能なＲＲＣ接続数にも制限があるため、大量のＭＢＭＳを利用するＵＥによりＲＲＣ接続の資源が占用された場合は、ユニキャストのＵＥがシステムに接続できなくなる。さらに、システムの利用可能なＲＲＣ接続数の制限のため、例えば、シングルセルの伝送モードでのＭＢＭＳを利用する全てのＵＥがＲＲＣ接続状態になったと定義すると、ＭＢＭＳを利用するＵＥのセル内に収納可能な最大数がシステムの利用可能なＲＲＣ接続数になり、より多いＵＥのＭＢＭＳの有効利用を制限することになる。【００１０】
しかしながら、当該技術分野の現在の進展からみると、ＭＢＭＳは市場前景が広く、ＭＢＭＳを利用するＵＥ数の高速増加も期待されてくる。したがって、上記問題の矛盾も必ず厳しくなる。
【非特許文献１】３ＧＰＰ  ＴＳ  ３６.３００（E-UTRA and E-UTRAN Overall description,stage2，v8.2.0）
【非特許文献２】Ｒ２−０７５４５５（Summary of discussion on MBMS reception states for SC-PTM transmission）提案、３ＧＰＰ  ＴＳＧ  ＲＡＮ２  第６０回会議、２００７年１１月
【発明の開示】
【００１１】
そこで、現在のＭＢＭＳに対するＬＥＴの定義によって、ＲＲＣアイドル状態であるＵＥもＭＢＭＳを利用できるようにする課題を解決するために、本発明は、ＭＢＭＳを利用するＵＥが比較的に少ない状況で全ＵＥのＲＲＣ接続状態を維持するとのエリクソンのＲ２−０７４７０９中の提案を基に、ＭＢＭＳ伝送モードでＲＲＣ状態を切替える具体的な実施方法および実施設備を提供する。
【００１２】
つまり、本発明は、ＭＢＭＳ伝送モードでＭＢＭＳを利用するＵＥがＲＲＣ接続資源を占用しているため、過大なシグナリングオーバーヘッドを引き起こし、ユニキャストサービスを利用するＵＥの正常的な接続に影響を与え、（周波数）資源利用率を低下させる問題を解決するために提供したものである。
【００１３】
本発明において、ＭＢＭＳを利用するＵＥは、ＭＢＭＳを利用し且つユニキャストサービスを利用しないユーザ装置であり、基地局、エボリューション基地局、基地局設備およびｅＮＢは同じ設備である。
【００１４】
上記の課題を解決するために、本発明は移動通信システムに応用できる方法および設備を提供し、それにより、ＭＢＭＳ伝送モードでのセル内のＭＢＭＳを利用するＵＥのＲＲＣ状態をうまく切替えることができる。特に、所定条件を満たす場合、基地局がシグナリング方式でセル内のＭＢＭＳを利用するＵＥのＲＲＣ状態を切替える機構を提供する。具体的な方式はセルの基地局に配置されたパラメータにより決められる。
【００１５】
上記の課題を解決するための本発明の基地局は、セル内のＭＢＭＳを利用するＵＥとデータ通信を行う送信（発信）／受信ユニット（以下「送受信ユニット」と称する）と、システムの現在利用可能なＲＲＣ接続数を算出する算出ユニットと、システムの現在利用可能なＲＲＣ接続数および接続数の閾値に基づいて、ＭＢＭＳを利用するＵＥのＲＲＣ状態の切替えが必要であるか否かを判定する実行判定ユニットと、上記実行判定ユニットによりＭＢＭＳを利用するＵＥのＲＲＣ状態の切替えが必要であると判定された場合、上記送受信ユニットを介して、セル内のＭＢＭＳを利用する全ＵＥに測定報告要求を送信する要求ユニットと、上記接続数の閾値と、上記送受信ユニットを介してＭＢＭＳを利用するＵＥから受信されたパラメータの測定データとに基づいて、パラメータの精確基準測定閾値を確定し、当該精確基準測定閾値を、さらに上記送受信ユニットを介して、セル内のＭＢＭＳを利用する全ＵＥに報告する精確確定ユニットとを備えている。
【００１６】
なお、「精確基準測定閾値」とは、「概略基準測定閾値」よりも精度が高い閾値である。このため、この「精確基準測定閾値」は、「概略基準測定閾値」に対し、「詳細基準測定閾値」とも表現することができる。
【００１７】
また、上記基地局は、統計データまたは静的システムのパラメータによって、パラメータの概略基準測定閾値を確定する概略確定ユニットをさらに備え、上記要求ユニットが、上記送受信ユニットを介して、セル内のＭＢＭＳを利用する全ＵＥに、パラメータの概略基準測定閾値を送信することが好ましい。
【００１８】
また、上記基地局において、上記パラメータには、リファレンス信号の受信電力、チャネル品質インジケータ、パスロスの中の少なくとも一つが含まれることが好ましい。
【００１９】
また、上記基地局において、上記概略確定ユニットおよび上記精確確定ユニットは、同じパラメータに対して、概略基準測定閾値および精確基準測定閾値を確定することが好ましい。
【００２０】
また、上記基地局において、上記概略確定ユニットおよび上記精確確定ユニットは、異なるパラメータに対して、別々に概略基準測定閾値および精確基準測定閾値を確定することが好ましい。
【００２１】
また、上記基地局において、上記算出ユニットは、現在確立済のＲＲＣ接続数Ｎｃおよびシステムの最大利用可能なＲＲＣ接続数Ｎｍａｘに基づいて、システムの現在利用可能なＲＲＣ接続数Ｎａ＝Ｎｍａｘ−Ｎｃを算出することが好ましい。
【００２２】
また、上記基地局において、上記接続数の閾値Ｎｔｈは、上記実行判定ユニットにより予め或いは動的に設定されており、上記現在利用可能なＲＲＣ接続数Ｎａが上記接続数の閾値Ｎｔｈより小さい場合、上記実行判定ユニットは、ＭＢＭＳを利用するＵＥのＲＲＣ状態の切替えが必要であると判定することが好ましい。
【００２３】
また、上記基地局において、上記送受信ユニットを介してＭＢＭＳを利用するＵＥからＲＲＣ接続の要求を受取ると、上記送受信ユニットを介して、上記ＲＲＣ接続の要求を送信しＭＢＭＳを利用するＵＥに、ＲＲＣ接続の開放情報を送信するとともに、当該ＭＢＭＳを利用するＵＥに対して臨時に確立したＲＲＣ接続資源を開放する開放ユニットをさらに備えることが好ましい。
【００２４】
また、上記基地局において、上記実行判定ユニットによりＭＢＭＳを利用するＵＥのＲＲＣ状態の切替えが不必要であると判定された場合、上記実行判定ユニットは、所定時間ウェイトし、上記算出ユニットを再起動することが好ましい。
【００２５】
また、上記基地局において、ＭＢＭＳのセッションが終了したか否かを判定し、ＭＢＭＳのセッションが未終了であれば、所定時間ウェイトし、上記算出ユニットを再起動するセッション判定ユニットをさらに備えることが好ましい。
【００２６】
上記の課題を解決するための本発明のユーザ装置は、所属するセル内の基地局とデータ通信を行う送受信ユニットと、上記送受信ユニットを介して上記所属するセル内の基地局から受信した測定報告要求に応じて、パラメータを測定し、さらに上記送受信ユニットを介して測定したパラメータのデータを報告する報告ユニットと、上記送受信ユニットを介して上記所属するセル内の基地局から受信したパラメータの精確基準測定閾値、ユーザ装置自体のパラメータ実際測定値およびユーザ装置自体の無線資源制御状態によって、無線資源制御状態の切替えを起動するか否かを判定する起動判定ユニットを備えている。
【００２７】
また、上記ユーザ装置において、上記報告ユニットは、ユーザ装置自体のパラメータ実際測定値および上記送受信ユニットを介して上記所属するセル内の基地局から受信したパラメータの概略基準測定閾値に基づいて、パラメータの測定データを報告するか否かを判定することが好ましい。
【００２８】
また、上記ユーザ装置において、上記パラメータには、リファレンス信号の受信電力、チャネル品質インジケータ、パスロスの中の少なくとも一つが含まれることが好ましい。
【００２９】
また、上記ユーザ装置において、上記パラメータの精確基準測定閾値および上記パラメータの概略基準測定閾値を、同じパラメータに対して確定することが好ましい。
【００３０】
また、上記ユーザ装置において、上記パラメータの精確基準測定閾値および上記パラメータの概略基準測定閾値を、異なるパラメータに対して別々に確定することが好ましい。
【００３１】
また、上記ユーザ装置は、ユーザ装置が無線資源制御の接続状態になっているかあるいはアイドル状態になっているかを確認する状態確認ユニットをさらに備え、当該状態確認ユニットにより、上記ユーザ装置がＲＲＣ接続状態になっていると判定された場合、上記報告ユニットは、上記測定報告要求に応じて、直接上記パラメータの測定データを報告し、当該状態確認ユニットにより、上記ユーザ装置がＲＲＣアイドル状態になっていると判定された場合、上記報告ユニットは、上記測定報告要求に応じて、まず上記送受信ユニットを介してランダム接続の要求を送信し、上記送受信ユニットを介してランダム接続の応答を受取った場合、さらに上記送受信ユニットを介し、ＲＲＣ接続の確立要求を利用して、パラメータの測定データを報告することが好ましい。
【００３２】
上記の課題を解決するための本発明の無線資源制御（ＲＲＣ）状態の切替え方法は、システムの現在利用可能なＲＲＣ接続数を算出する算出ステップと、システムの現在利用可能なＲＲＣ接続数および接続数の閾値に基づいて、ＭＢＭＳを利用するＵＥのＲＲＣ状態の切替えが必要であるか否かを判定する実行判定ステップと、ＭＢＭＳを利用するＵＥのＲＲＣ状態を切替える必要があると判定された場合、セル内のＭＢＭＳを利用する全ＵＥに測定報告要求を送信する要求ステップと、ＭＢＭＳを利用するＵＥが、受信した上記測定報告要求に応じてパラメータを測定し、その測定データを報告する報告ステップと、上記接続数の閾値および上記報告した測定データに基づいてパラメータの精確基準測定閾値を確定し、当該精確基準測定閾値をセル内のＭＢＭＳを利用する全ＵＥに送信する精確確定ステップと、ＭＢＭＳを利用する各ＵＥが、受信したパラメータの精確基準測定閾値、自体のパラメータ実際測定値および自体のＲＲＣ状態によって、ＲＲＣ状態の切替えを起動するか否かを判定する起動判定ステップとを備えている。
【００３３】
また、上記ＲＲＣ状態の切替え方法は、統計データまたは静的システムのパラメータによって、パラメータの概略基準測定閾値を確定する概略確定ステップをさらに備え、上記要求ステップにおいて、ＭＢＭＳを利用する全ＵＥに概略基準測定閾値を送信し、上記報告ステップにおいて、ＭＢＭＳを利用するＵＥが、自体のパラメータ実際測定値および受信したパラメータの概略基準測定閾値に基づいて、バラメータの測定データを報告するか否かを確認することが好ましい。
【００３４】
また、上記ＲＲＣ状態の切替え方法において、上記パラメータには、リファレンス信号の受信電力、チャネル品質インジケータ、パスロスの中の少なくとも一つが含まれることが好ましい。
【００３５】
また、上記ＲＲＣ状態の切替え方法において、上記概略確定ステップおよび上記精確確定ステップにおいて、同じパラメータに対して、概略基準測定閾値および精確基準測定閾値を確定することが好ましい。
【００３６】
また、上記ＲＲＣ状態の切替え方法において、上記概略確定ステップおよび上記精確確定ステップにおいて、異なるパラメータに対して、別々に概略基準測定閾値および精確基準測定閾値を確定することが好ましい。
【００３７】
また、上記ＲＲＣ状態の切替え方法において、現在確立済のＲＲＣ接続数Ｎｃおよびシステムの最大利用可能なＲＲＣ接続数Ｎｍａｘに基づいて、システムの現在利用可能なＲＲＣ接続数Ｎａ＝Ｎｍａｘ−Ｎｃを算出することが好ましい。
【００３８】
また、上記ＲＲＣ状態の切替え方法において、上記接続数の閾値Ｎｔｈは、予め或いは動的に設定され、上記現在利用可能なＲＲＣ接続数Ｎｃが上記接続数の閾値Ｎｔｈより小さい場合、ＭＢＭＳを利用するＵＥのＲＲＣ状態の切替えが必要であると判定することが好ましい。
【００３９】
また、上記ＲＲＣ状態の切替え方法において、上記報告ステップにおいて、ＲＲＣ接続状態になっているＭＢＭＳを利用するＵＥは、上記測定報告要求に応じて、直接上記パラメータの測定データを報告することが好ましい。
【００４０】
また、上記ＲＲＣ状態の切替え方法において、上記報告ステップにおいて、ＲＲＣアイドル状態になっているＭＢＭＳを利用するＵＥは、上記測定報告要求に応じて、まずランダム接続の要求を送信し、ランダム接続の応答を受取った場合、さらにＲＲＣ接続の確立要求を利用して、パラメータの測定データを報告することが好ましい。
【００４１】
また、上記ＲＲＣ状態の切替え方法において、ＲＲＣ接続の要求を受取った後、ＭＢＭＳを利用するＵＥに、ＲＲＣ接続の開放情報を送信し、同時に、当該ＭＢＭＳを利用するＵＥに対して臨時に確立したＲＲＣ接続資源を開放することが好ましい。
【００４２】
また、上記ＲＲＣ状態の切替え方法において、上記実行判定ステップにより、ＭＢＭＳを利用するＵＥのＲＲＣ状態の切替えが必要ではないと確定された場合、所定時間ウェイトし、算出ステップを再実行することが好ましい。
【００４３】
また、上記ＲＲＣ状態の切替え方法において、ＭＢＭＳのセッションが終了したか否かを判定し、ＭＢＭＳのセッションが未終了であれば、所定時間ウェイトし、算出ステップを再実行することが好ましい。
【００４４】
上記の課題を解決するための本発明の無線資源制御（ＲＲＣ）状態の切替え方法は、基地局は、ＲＲＣ接続数に関する判定条件によって、ＵＥのＲＲＣ状態を切替える必要があるか無いかを確認し、ＵＥは、基地局の制御シグナリングに応じて、パラメータの測定データを報告し、ＵＥは、ＲＲＣ接続数に関する判定条件およびＵＥから報告されたパラメータの測定データに基づいて、パラメータの精確基準測定閾値を確定し、ＵＥは、基地局により確定されたパラメータの精確基準測定閾値、自体のパラメータ実際測定値および自体の無線資源制御状態によって、ＲＲＣ状態の切替えを確定し起動する。
【００４５】
また、上記ＲＲＣ状態の切替え方法において、基地局は、制御シグナリングによって、設定したパラメータの概略基準測定閾値をＵＥに通知し、ＵＥは、パラメータの概略基準測定閾値および自体のパラメータ実際測定値によって、パラメータの測定データを報告するか否かを判定することが好ましい。
【００４６】
また、上記ＲＲＣ状態の切替え方法において、上記パラメータには、リファレンス信号の受信電力、チャネル品質インジケータ、パスロスの中の少なくとも一つが含まれることが好ましい。
【００４７】
また、上記ＲＲＣ状態の切替え方法において、上記パラメータの精確基準測定閾値および上記パラメータの概略基準測定閾値を、同じパラメータに対して設定することが好ましい。
【００４８】
また、上記ＲＲＣ状態の切替え方法において、上記パラメータの精確基準測定閾値および上記パラメータの概略基準測定閾値を、異なるパラメータに対して別々設定することが好ましい。
【図面の簡単な説明】
【００４９】
【図１】ＬＴＥで定義したＭＢＭＳシステムのブロック図である。
【図２】本発明の実施例に係るｅＮＢ１０４の構成を示すブロック図である。
【図３】本発明の実施例に係るＵＥ１０５の構成を示すブロック図である。
【図４】本発明の第１実施例に係るＲＲＣ状態の切替え方法を説明するためのフローチャートである。
【図５】ＲＲＣ接続状態にあるＭＢＭＳ・ＵＥの測定データの報告過程を示す図である。
【図６】ＲＲＣアイドル状態にあるＭＢＭＳ・ＵＥの測定データの報告過程を示す図である。
【図７】本発明の第２実施例に係るＲＲＣ状態の切替え方法を説明するためのフローチャートである。
【符号の説明】
【００５０】
１０４    ｅＮＢ
１０４０  送受信ユニット
１０４１  セッション判定ユニット
１０４２  算出ユニット
１０４４  実行判定ユニット
１０４５  概略確定ユニット
１０４６  要求ユニット
１０４８  精確確定ユニット
１０４９  開放ユニット
【発明を実施するための最良の形態】
【００５１】
以下、図面に基づいて、本発明の実施の形態について詳細に説明する。本発明をより理解しやすく説明するために、本発明について不必要な構成および機能は省略する。【００５２】
本発明をより詳細・明確に理解するために、ＬＴＥセルラシステムのＭＢＭＳ伝送に適用する具体的な実施例を挙げて説明する。もちろん、本発明は、この応用に限らず、その他のＭＢＭＳを提供する通信システムにも適用される。【００５３】
図１は、ＬＴＥで定義したＭＢＭＳシステムの構成を示している。ｅＢＭ−ＳＣ１０１はＭＢＭＳシステムのサービスコントロールセンターである。ｅＢＭ−ＧＷ１０２はＭＢＭＳデータの伝送に経路を提供し、ＩＰマルチキャスト方式で、ＭＢＭＳデータを対応する各エボリューション基地局に同期して送信する。ｅＮＢ１０４は、シングルセルのＭＢＭＳ伝送の資源をスケジューリングし、およびＭＢＭＳデータの伝送を行う。ＵＥ１０５は、ＭＢＭＳデータを受信する端末装置である。該図はＭＢＭＳシステムの構成の一例を示すだけであり、本発明の移動通信システムの実施において、上記制限的な特定構成が必ず必要であることではない。【００５４】
図１に示すように、ＭＢＭＳシステムは、少なくとも、１つのｅＢＭ−ＳＣ１０１、１つのｅＢＭ−ＧＷ１０２、１つのｅＮＢ１０４を含み、ｅＮＢ１０４のセル内には複数のＭＢＭＳを利用するＵＥ（以下「ＭＢＭＳ・ＵＥ」と略称する）１０５が分布されている。各ＵＥ１０５は、相応するシグナリングを介して、ｅＮＢ１０４に関連情報を提供する。【００５５】
本発明によるｅＮＢ１０４は、図２のブロック図に示す構成を有している。詳しく言うと、ｅＮＢ１０４は、セル内のＭＢＭＳ・ＵＥとデータ通信を行う送受信ユニット１０４０と、現在確立済のＲＲＣ接続数（Ｎｃ）と最大利用可能なＲＲＣ接続数（Ｎｍａｘ）とに基づいて、現在利用可能なＲＲＣ接続数（Ｎａ＝Ｎｍａｘ−Ｎｃ）を算出する算出ユニット１０４２と、現在利用可能なＲＲＣ接続数と、予め或いは動的に設定された接続数の閾値（Ｎｔｈ）とに基づいて、例えば、現在利用可能なＲＲＣ接続数（Ｎａ）が接続数の閾値（Ｎｔｈ）より小さい場合は、ＭＢＭＳ・ＵＥのＲＲＣ状態の切替えが必要であると確定し、逆に、ＭＢＭＳ・ＵＥのＲＲＣ状態の切替えが不必要であると確定された場合は、所定時間ウェイトして、算出ユニット１０４２を再起動する実行判定ユニット１０４４と、実行判定ユニット１０４４によりＭＢＭＳ・ＵＥのＲＲＣ状態の切替えが必要であると判定された場合、送受信ユニット１０４０を介して、セル内のすべてのＭＢＭＳ・ＵＥに測定報告要求を送信する要求ユニット１０４６と、接続数の閾値（Ｎｔｈ）と、送受信ユニット１０４０を介してＭＢＭＳ・ＵＥから受信されたパラメータの測定データ（Ｐｒを含む）とに基づいて、パラメータの精確な基準測定閾値（以下「精確基準測定閾値」と呼ぶ）（Ｐｒｓ）を確定し、その精確基準測定閾値を、さらに送受信ユニット１０４０を介して、セル内のすべてのＭＢＭＳ・ＵＥに送信する精確確定ユニット１０４８とを備えている。【００５６】
本発明において、上記パラメータは、リファレンス信号の受信電力（ＲＳＲＰ）、チャネル品質インジケータ（ＣＱＩ）、パスロス（ｐａｔｈｌｏｓｓ）の中の少なくとも一つを含む。以下の実施例においては、パラメータの一例としてリファレンス信号の受信電力（ＲＳＲＰ）を挙げて具体的に説明する。もちろん、本発明は、この実施例に限定されるものではなく、当業者により種々の変更が可能である。例えば、パラメータとして、チャネル品質インジケータ（ＣＱＩ）、あるいはパスロス（ｐａｔｈｌｏｓｓ）、あるいはこの３つを任意に併用することもできる。【００５７】
また、図２中の点線で示すように、ｅＮＢ１０４は、統計データまたは静的システムのパラメータによって、パラメータの大まかな基準測定閾値（以下「概略基準測定閾値」と呼ぶ）（Ｐｔｈ）を確定する概略確定ユニット１０４５をさらに備えている。この場合、要求ユニット１０４６は、送受信ユニット１０４０を介して、セル内のすべてのＭＢＭＳ・ＵＥに、パラメータの概略基準測定閾値（Ｐｔｈ）を送信する。概略確定ユニット１０４５および精確確定ユニット１０４８は、同様または異なるパラメータに対して、概略基準測定閾値（Ｐｔｈ）および精確基準測定閾値（Ｐｒｓ）を確定することができる。【００５８】
また、図２中の点線で示すように、ｅＮＢ１０４は、送受信ユニット１０４０を介しＭＢＭＳ・ＵＥ（ＲＲＣアイドル状態になっている）からＲＲＣ接続の確立要求を受取ると、送受信ユニット１０４０を介して、ＲＲＣ接続の要求を送信したＭＢＭＳ・ＵＥに、ＲＲＣ接続の開放情報を送信するとともに、当該ＭＢＭＳ・ＵＥに対して臨時に確立したＲＲＣ接続資源を開放する開放ユニット１０４９をさらに備えている。【００５９】
さらに、図２中の点線で示すように、ｅＮＢ１０４は、ＭＢＭＳのセッションが終了したか否かを判定し、ＭＢＭＳのセッションが未終了であれば、所定時間ウェイトして、算出ユニット１０４２を再起動し、ＭＢＭＳのセッションが既に終了した場合は、ｅＮＢ１０４のＲＲＣ状態の切替えに関する処理全体を終了するセッション判定ユニット１０４１も備えている。【００６０】
本発明によるＵＥ１０５は、図３のブロック図に示す構成を有している。詳しく言うと、ＵＥ１０５は、所属するセル内のｅＮＢとデータ通信を行う送受信ユニット１０５０と、送受信ユニット１０５０を介して所属するセル内のｅＮＢから受信した測定報告要求に応じて、パラメータを測定し、さらに送受信ユニット１０５０を介して測定したパラメータのデータ（Ｐｒを含む）を報告する報告ユニット１０５２と、送受信ユニット１０５０を介して所属するセル内のｅＮＢから受信したパラメータの精確基準測定閾値（Ｐｒｓ）、ＵＥ自体のパラメータ実際測定値（Ｐｒ；報告ユニット１０５２から受取る）およびＵＥ自体のＲＲＣ状態（状態確認ユニット１０５５により確定されて、ｅＮＢ１０４により通知され、あるいは他の方法で受取る）によって、ＲＲＣ状態の切替えを起動するか否かを判定する起動判定ユニット１０５４を備えている。【００６１】
本発明において、上記パラメータは、リファレンス信号の受信電力（ＲＳＲＰ）、チャネル品質インジケータ（ＣＱＩ）、パスロス（ｐａｔｈｌｏｓｓ）の中の少なくとも一つを含む。以下の実施例においては、パラメータの一例としてリファレンス信号の受信電力（ＲＳＲＰ）を挙げて具体的に説明する。もちろん、本発明は、この実施例に限定されるものではなく、当業者により種々の変更が可能である。例えば、パラメータとして、チャネル品質インジケータ（ＣＱＩ）、あるいはパスロス（ｐａｔｈｌｏｓｓ）、あるいはこの３つを任意に組合せて利用することもできる。【００６２】
報告ユニット１０５２は、ＵＥ自体のパラメータ実際測定値（Ｐｒ）、および送受信ユニット１０５０を介して所属するセル内のｅＮＢから受信したパラメータの概略基準測定閾値（Ｐｔｈ）によって、パラメータの測定データ（Ｐｒを含む）を報告するか否かを判定することができる。同じく、同様または異なるパラメータの精確基準測定閾値（Ｐｒｓ）によって、パラメータの測定データ（Ｐｒを含む）を報告するか否かを判定することができる。【００６３】
また、図３中の点線で示すように、ＵＥ１０５は、ＵＥの状態がＲＲＣ接続状態であるかまたはＲＲＣアイドル状態であるかを確認する状態確認ユニット１０５５をさらに備えている。この状態確認ユニット１０５５により、ＵＥがＲＲＣ接続状態になっていると確認された場合、報告ユニット１０５２は、測定報告要求に応じて直接パラメータの測定データ（Ｐｒを含む）を報告する。一方、状態確認ユニット１０５５により、ＵＥがＲＲＣアイドル状態になっていると確認された場合、送受信ユニット１０５０を介してランダム接続の要求を送信し、また、送信／受信ユニットを介してランダム接続の応答を受取った際、さらに送受信ユニット１０５０を介し、ＲＲＣ接続の確立要求を利用して、パラメータの測定データ（Ｐｒを含む）を報告することができる。【００６４】
なお、図２および図３においては、具体的なユニットモジュールにより本発明に係るｅＮＢおよびＵＥノードの構成を説明したが、本発明は、上記具体的なユニットモジュールに限定されるものではなく、その一部あるいは全部モジュールに対して結合、分割または再組合せを行って、ソフト方式、ハード方式あるいはそれらの組合せ方式で実現することもできる。【００６５】
以下、図２〜７に基づいて、本発明に係るＲＲＣ状態の切替え方法について詳細に説明する。【００６６】
図４は、本発明の第１実施例に係るＲＲＣ状態の切替え方法を説明するためのフローチャートである。以下、この処理フローについて詳細に説明する。【００６７】
ＭＢＭＳのセッションが開始する（ステップ４０１）と、ｅＮＢ１０４は周期的に以下のステップを実行する。【００６８】
ｅＮＢ１０４の算出ユニット１０４２は現在接続済のＲＲＣ接続数Ｎｃおよびシステムの最大利用可能なＲＲＣ接続数Ｎｍａｘに基づいて、現在利用可能なＲＲＣ接続数Ｎａ＝Ｎｍａｘ−Ｎｃを算出する（ステップ４０３）。【００６９】
ｅＮＢ１０４の実行判定ユニット１０４４は、ステップ４０３により算出された現在利用可能なＲＲＣ接続数Ｎａに応じて、ＭＢＭＳ・ＵＥのＲＲＣ状態の切替えが必要か否かを確認する（ステップ４０４）。システムの予め設定され、或いは動的に設定された接続数の閾値Ｎｔｈに基づいて、例えば、現在利用可能なＲＲＣ接続数Ｎａが接続数の閾値Ｎｔｈより小さい場合、すなわちＮａ＜Ｎｔｈの場合、ＭＢＭＳ・ＵＥのＲＲＣ状態を切替える必要があると判定し、逆の場合は切替えが不必要であると判定する。ＲＲＣ状態の切替えが不必要である場合、次の周期までウェイトして、再びステップ４０３を実行し、切替えが必要である場合は、続いてステップ４０５を実行する。【００７０】
ｅＮＢ１０４の概略確定ユニット１０４５は、システムの統計データまた予め設定されたデータに基づいて、パラメータの概略基準測定閾値Ｐｔｈを設定する（ステップ４０５）。当該パラメータの概略基準測定閾値Ｐｔｈを設定するのは、測定データを報告するＭＢＭＳ・ＵＥの数を制限して、システムのシグナリングオーバーヘッドを減少させるためである。本実施例においては、リファレンス信号の受信電力（ＲＳＲＰ）の基準値Ｐｔｈを選択設定して、この概略基準測定閾値とする。この概略基準測定閾値は、システムのパラメータによって静的設定し、あるいは、前の周期において報告した測定データに基づいて統計確定し、あるいは、両方式を併用して確定することができる。実際の応用システムにおいては、チャネル品質インジケータ（ＣＱＩ）或いはパスロス（ｐａｔｈｌｏｓｓ）に関する閾値を設定して、概略基準測定閾値とすることも可能である。【００７１】
ｅＮＢ１０４の要求ユニット１０４６は、ＭＣＣＨチャネルを介して、ｅＮＢ１０４のセル内のすべてのＭＢＭＳ・ＵＥ１０５に、測定報告要求およびステップ４０５で確定されたパラメータの概略基準測定閾値Ｐｔｈを送信するトリガーで、ＭＢＭＳ・ＵＥの測定データの報告過程を起動する（ステップ４０６）。【００７２】
図５は、ＲＲＣ接続状態になっているＭＢＭＳ・ＵＥの測定データの報告過程を示す図である。まず、ステップ５０１において、ＲＲＣ接続状態になっている（状態確認ユニット１０５５で確定し、ｅＮＢ１０４から通知し、あるいは他の方法で取得する）ＭＢＭＳ・ＵＥ１０５は、ｅＮＢ１０４から送信された測定報告要求およびパラメータの概略基準測定閾値Ｐｔｈを受信し、ＭＢＭＳ・ＵＥ１０５の報告ユニット１０５２で測定および選択されたリファレンス信号の受信電力（ＲＳＲＰ）の基準値ＰｒとＰｔｈとの対比を行い、対比結果、Ｐｒ＜Ｐｔｈであればステップ５０２を行う。次に、ステップ５０２において、ＭＢＭＳ・ＵＥ１０５の報告ユニット１０５２は、既に割当てられたＰＵＣＣＨチャネルを介して、ＵＥのＩＤ、ＭＢＭＳのＩＤおよびリファレンス信号の受信電力（ＲＳＲＰ）Ｐｒを含む測定報告の応答情報を報告する。もちろん、測定報告の応答情報は、上記内容に限定されるものではなく、チャネル品質インジケータ（ＣＱＩ）またはパスロス（ｐａｔｈｌｏｓｓ）であり、あるいは、これらのうち少なくとも一つを更に含むことも可能である。【００７３】
図６は、ＲＲＣアイドル状態になっているＭＢＭＳ・ＵＥの測定データの報告過程を示す図である。ステップ６０１において、ＲＲＣアイドル状態になっている（状態確認ユニット１０５５で確定し、ｅＮＢ１０４から通知し、あるいは他の方法で取得する）ＭＢＭＳ・ＵＥ１０５は、ｅＮＢ１０４から送信されてきた測定報告要求およびパラメータの概略基準測定閾値Ｐｔｈを受信し、ＭＢＭＳ・ＵＥ１０５の報告ユニット１０５２で測定および選択されたリファレンス信号の受信電力（ＲＳＲＰ）の基準値ＰｒとＰｔｈとの対比を行い、対比結果、Ｐｒ＜Ｐｔｈであればステップ６０２を行う。ステップ６０２において、ＭＢＭＳ・ＵＥ１０５の報告ユニット１０５２は、ＲＡＣＨチャネルを介して、ランダム接続要求をｅＮＢ１０４に送信する。次に、ステップ６０３において、ｅＮＢ１０４は、ランダム接続応答を接続完了したＭＢＭＳ・ＵＥ１０５に送信する。ステップ６０４において、ＭＢＭＳ・ＵＥ１０５の報告ユニット１０５２は、ＵＥのＩＤ、ＭＢＭＳのＩＤおよびリファレンス信号の受信電力（ＲＳＲＰ）の基準値Ｐｒを含むＲＲＣ接続の確立要求の情報をｅＮＢ１０４に送信する。もちろん、ＲＲＣ接続の確立要求の情報は、上記内容に限定されるものではなく、チャネル品質インジケータ（ＣＱＩ）またはパスロス（ｐａｔｈｌｏｓｓ）であり、あるいは、これらのうち少なくとも一つを更に含むことも可能である。そして、ステップ６０５において、ｅＮＢ１０４の開放ユニット１０４９はＲＲＣ接続の確立要求の情報を受信した後、接続開放の関連情報をＭＢＭＳ・ＵＥ１０５に送信するとともに、ＭＢＭＳ・ＵＥ１０５のために一時的に確立したＲＲＣ接続資源を開放する。【００７４】
続いて、ｅＮＢ１０４の精確確定ユニット１０４８は、ステップ４０６でＭＢＭＳ・ＵＥにより報告された測定データ（ＵＥのＩＤ、ＭＢＭＳのＩＤおよびリファレンス信号の受信電力の基準値Ｐｒ）およびステップ４０３で算出されたシステムの現在利用可能なＲＲＣ接続数Ｎａに基づいて、さらに精確基準測定閾値Ｐｒｓを算出する（ステップ４０７）。当該ステップにおいて算出される精確基準測定閾値Ｐｒｓは、ステップ４０５での概略基準測定閾値Ｐｔｈのように、同様なパラメータ（本実施例においては、リファレンス信号の受信電力に対する）、または異なるパラメータ（例えば、チャネル品質インジケータあるいはパスロスなど）に対して取得することができる。例えば、測定データを報告するＵＥ中、ＲＲＣ接続状態にあるＭＢＭＳ・ＵＥの数をＮｓと仮定する。まず、測定データを報告したすべてのＭＢＭＳ・ＵＥのＲＳＲＰ値に対して、逓増に順序付けを行い、次に、その中で、第Ｎｓ＋Ｎｍａｘ−Ｎｃ−Ｎｔｈ番目のＲＳＲＰ値Ｐｒｓを取り出して、精確基準測定閾値Ｐｒｓとする。その後、ｅＮＢ１０４の精確確定ユニット１０４８は、この精確基準測定閾値Ｐｒｓを、ＭＣＣＨチャネルを介して、ｅＮＢ１０４のセル内のすべてのＭＢＭＳ・ＵＥに送信する。以上のような操作によると、この精確基準測定閾値Ｐｒｓにより、システム中のＲＲＣ接続状態になるＵＥ（ＭＢＭＳ・ＵＥおよび非ＭＢＭＳ・ＵＥを含む）の数が予定の最大利用可能なＲＲＣ接続数Ｎｍａｘ−Ｎｔｈの範囲になるように確保できる。【００７５】
ＭＢＭＳ・ＵＥ１０５の起動判定ユニット１０５４は、受信した精確基準測定閾値ＰｒｓによってＲＲＣ状態の切替えを行う（ステップ４０８）。この起動判定ユニット１０５４は、精確基準測定閾値ＰｒｓとＭＢＭＳ・ＵＥの実際測定値Ｐｒとの関係および現在のＲＲＣ状態によって、ＲＲＣ状態の切替えが必要か否かを判定する。【００７６】
例えば、ＰｒがＰｒｓより小さいまたはＰｒｓと等しい場合（Ｐｒ≦Ｐｒｓ）、且つ、ＭＢＭＳ・ＵＥ１０５がＲＲＣアイドル状態である場合は、ＲＲＣ接続の確立過程を起動する。【００７７】
また、ＰｒがＰｒｓより小さいまたはＰｒｓと等しい場合（Ｐｒ≦Ｐｒｓ）、且つ、ＭＢＭＳ・ＵＥ１０５がＲＲＣ接続状態である場合は、何ら操作も実行しない。【００７８】
また、ＰｒがＰｒｓより大きい場合（Ｐｒ＞Ｐｒｓ）、且つ、ＭＢＭＳ・ＵＥ１０５がＲＲＣ接続状態である場合は、ＲＲＣ接続の開放過程を起動する。【００７９】
また、ＰｒがＰｒｓより大きい場合（Ｐｒ＞Ｐｒｓ）、且つ、ＭＢＭＳ・ＵＥ１０５がＲＲＣアイドル状態である場合は、何ら操作も実行しない。【００８０】
続いて、ｅＮＢ１０４のセッション判定ユニット１０４１は、セッションが終了したか否かを判定し、ＭＢＭＳのセッションが未終了であれば、次の周期までウェイトしてから、ステップ４０３を再実行する（ステップ４０９）。【００８１】
ＭＢＭＳのセッションが終了した場合は、上記フローを終了する（ステップ４１０）。【００８２】
図７は、本発明の第２実施例に係るＲＲＣ状態の切替え方法を説明するためのフローチャートである。以下、このフローについて詳細に説明する。【００８３】
ＭＢＭＳのセッションが開始する（ステップ７０１）と、ｅＮＢ１０４は周期的に以下のステップを実行する。【００８４】
ｅＮＢ１０４の算出ユニット１０４２は現在接続済のＲＲＣ接続数Ｎｃおよびシステムの最大利用可能なＲＲＣ接続数Ｎｍａｘに基づいて、現在利用可能なＲＲＣ接続数Ｎａ＝Ｎｍａｘ−Ｎｃを算出する（ステップ７０３）。【００８５】
ｅＮＢ１０４の実行判定ユニット１０４４は、ステップ７０３で算出された現在利用可能なＲＲＣ接続数Ｎａに応じて、ＭＢＭＳ・ＵＥのＲＲＣ状態の切替えが必要か否かを確認する（ステップ７０４）。システムの予め設定され或いは動的に設定された接続数の閾値Ｎｔｈに基づいて、例えば、現在利用可能なＲＲＣ接続数Ｎａが接続数の閾値Ｎｔｈより小さい場合、すなわちＮａ＜Ｎｔｈの場合、ＭＢＭＳ・ＵＥのＲＲＣ状態を切替える必要があると判定し、逆の場合は切替えが不必要であると判定する。ＲＲＣ状態の切替えが不必要である場合、次の周期までウェイトしてから、ステップ７０３を再実行し、切替えが必要である場合は、続いてステップ７０６を実行する。【００８６】
ｅＮＢ１０４の要求ユニット１０４６は、ＭＣＣＨチャネルを介して、ｅＮＢ１０４のセル内のすべてのＭＢＭＳ・ＵＥ１０５に、測定報告要求を送信することで、ＭＢＭＳ・ＵＥの測定データの報告過程を誘発起動する（ステップ７０６）。【００８７】
同様に、ＲＲＣ接続状態にあるＭＢＭＳ・ＵＥの測定データの報告過程は図５に示すとおりである。まず、ステップ５０１において、ＲＲＣ接続状態になっている（状態確認ユニット１０５５で確定し、ｅＮＢ１０４から通知し、あるいは他の方法で取得する）ＭＢＭＳ・ＵＥ１０５はｅＮＢ１０４から送信された測定報告要求を受信する。次に、ステップ５０２において、ＭＢＭＳ・ＵＥ１０５の報告ユニット１０５２は、既に割当てられたＰＵＣＣＨチャネルを介して、ＵＥのＩＤ、ＭＢＭＳのＩＤおよびリファレンス信号の受信電力（ＲＳＲＰ）の基準値Ｐｒを含む測定報告の応答情報を報告する。もちろん、測定報告の応答情報は、上記内容に限定されるものではなく、チャネル品質インジケータ（ＣＱＩ）またはパスロス（ｐａｔｈｌｏｓｓ）であり、あるいは、これらのうち少なくとも一つを更に含むことも可能である。【００８８】
同様に、ＲＲＣアイドル状態にあるＭＢＭＳ・ＵＥの測定データの報告過程は図６に示すとおりである。ステップ６０１において、ＲＲＣアイドル状態になっている（状態確認ユニット１０５５で確定し、ｅＮＢ１０４から通知し、あるいは他の方法で取得する）ＭＢＭＳ・ＵＥ１０５は、ｅＮＢ１０４から送信されてきた測定報告要求を受信する。ステップ６０２において、ＭＢＭＳ・ＵＥ１０５の報告ユニット１０５２は、ＲＡＣＨチャネルを介して、ランダム接続要求をｅＮＢ１０４に送信する。次に、ステップ６０３において、ｅＮＢ１０４は、ランダム接続応答を接続完了したＭＢＭＳ・ＵＥ１０５に送信する。ステップ６０４において、ＭＢＭＳ・ＵＥ１０５の報告ユニット１０５２は、ＵＥのＩＤ、ＭＢＭＳのＩＤおよびリファレンス信号の受信電力（ＲＳＲＰ）の基準値Ｐｒを含むＲＲＣ接続の確立要求の情報をｅＮＢ１０４に送信する。もちろん、ＲＲＣ接続の確立要求の情報としては、上記内容に限定されるものではなく、チャネル品質インジケータ（ＣＱＩ）またはパスロス（ｐａｔｈｌｏｓｓ）であり、あるいは、これらのうち少なくとも一つを更に含むことが可能である。そして、ステップ６０５において、ｅＮＢ１０４の開放ユニット１０４９はＲＲＣ接続の確立要求の情報を受信した後、接続開放の関連情報をＭＢＭＳ・ＵＥ１０５に送信するとともに、ＭＢＭＳ・ＵＥ１０５のために臨時に確立したＲＲＣ接続資源を開放する。【００８９】
続いて、ｅＮＢ１０４の精確確定ユニット１０４８はステップ７０６でＭＢＭＳ・ＵＥにより報告された測定データ（ＵＥのＩＤ、ＭＢＭＳのＩＤおよびリファレンス信号の受信電力の基準値Ｐｒ）およびステップ７０３で算出されたシステムの現在利用可能なＲＲＣ接続数Ｎａに基づいて、さらに精確基準測定閾値Ｐｒｓを算出する（ステップ７０７）。例えば、測定データを報告するＵＥ中、ＲＲＣ接続状態にあるＭＢＭＳ・ＵＥの数をＮｓと仮定する。まず、測定データを報告したすべてのＭＢＭＳ・ＵＥのＲＳＲＰ値に対して、逓増に順序付けを行い、次に、その中で、第Ｎｓ＋Ｎｍａｘ−Ｎｃ−Ｎｔｈ番目のＲＳＲＰ基準値Ｐｒｓを取り出して、精確基準測定閾値Ｐｒｓとする。本実施例においては、リファレンス信号の受信電力（ＲＳＲＰ）に対して精確基準測定閾値Ｐｒｓを設定したが、チャネル品質インジケータ（ＣＱＩ）またはパスロス（ｐａｔｈｌｏｓｓ）などに対して精確基準測定閾値を設定することもできる。続いて、ｅＮＢ１０４の精確確定ユニット１０４８は、この精確基準測定閾値Ｐｒｓを、ＭＣＣＨチャネルを介して、ｅＮＢ１０４のセル内のすべてのＭＢＭＳ・ＵＥに送信する。以上のような操作によると、この精確基準測定閾値Ｐｒｓにより、システム中のＲＲＣ接続状態にあるＵＥ（ＭＢＭＳ・ＵＥおよび非ＭＢＭＳ・ＵＥを含む）の数が予定の最大利用可能なＲＲＣ接続数Ｎｍａｘ−Ｎｔｈの範囲内にあるように確保できる。【００９０】
ＭＢＭＳ・ＵＥ１０５の起動判定ユニット１０５４は、受信した精確基準測定閾値ＰｒｓによってＲＲＣ状態の切替えを行う（ステップ７０８）。この起動判定ユニット１０５４は、精確基準測定閾値ＰｒｓとＭＢＭＳ・ＵＥの実際測定値Ｐｒとの関係および現在のＲＲＣ状態によって、ＲＲＣ状態の切替えが必要か否かを判定する。【００９１】
例えば、ＰｒがＰｒｓより小さいまたはＰｒｓと等しい場合（Ｐｒ≦Ｐｒｓ）、且つ、ＭＢＭＳ・ＵＥ１０５がＲＲＣアイドル状態である場合は、ＲＲＣ接続の確立過程を起動する。【００９２】
また、ＰｒがＰｒｓより小さいまたはＰｒｓと等しい場合（Ｐｒ≦Ｐｒｓ）、且つ、ＭＢＭＳ・ＵＥ１０５がＲＲＣ接続状態である場合は、何ら操作も実行しない。【００９３】
また、ＰｒがＰｒｓより大きい場合（Ｐｒ＞Ｐｒｓ）、且つ、ＭＢＭＳ・ＵＥ１０５がＲＲＣ接続状態である場合は、ＲＲＣ接続の開放過程を起動する。【００９４】
また、ＰｒがＰｒｓより大きい場合（Ｐｒ＞Ｐｒｓ）、且つ、ＭＢＭＳ・ＵＥ１０５がＲＲＣアイドル状態である場合は、何ら操作も実行しない。【００９５】
続いて、ｅＮＢ１０４のセッション判定ユニット１０４１は、セッションが終了したか否かを判定し、ＭＢＭＳのセッションが未終了であれば、次に周期までウェイトして、ステップ７０３を再実行する（ステップ７０９）。【００９６】
ＭＢＭＳのセッションが終了した場合は、上記フローを終了する（ステップ７１０）。【００９７】
本発明の第２実施例に比べ、第１実施例はステップ４０５をさらに備えている。すなわち、先にシステムの統計データまた静的システムのパラメータによって、パラメータの概略基準測定閾値Ｐｔｈを確定する。この概略基準測定閾値Ｐｔｈを確定するのは、測定データを報告するＭＢＭＳ・ＵＥの数を制限して、システムのシグナリングオーバーヘッドを減少するためである。但し、当該ステップ４０５は必要不可欠なステップではなく、本発明の第２実施例によっても本発明を実現することができる。つまり、シグナリングのオーバーヘッドを考慮しなくても、すべてのＭＢＭＳ・ＵＥが測定データの報告過程を実行するようにさせる。【００９８】
以上のように、本発明はシグナリング方式を介して、システムの許可範囲において、一部のチャネル品質の悪いユーザ装置によるリンク情報のフィードバックが便利になるように、これらのユーザ装置をＲＲＣ接続状態に設定し、基地局は適応変調符号化およびハイブリット自動再送要求（ＨＡＲＱ）などの機構でユーザ装置のサービス品質（ＱｏＳ）を増強する。このようなシグナリング機構は、簡単有効であり、ユニキャストサービスに影響を与えない上でＭＢＭＳを利用するユーザ装への高品質なサービスを確保することができる。【００９９】
前述の如く、本発明の詳細について具体的な実施の形態に基づき説明してきたが、本発明の範囲を逸脱しない限り、各種の変形が可能なのは明らかである。従って、本発明の範囲は、上述した各実施形態に限定されるものではなく、特許請求の範囲のみならず、その範囲と均等なものにより定められるべきである。
【産業上の利用可能性】
【０１００】
本発明は、基地局と複数の移動端末（ユーザ装置）とが無線通信可能な任意の無線通信システムに適用できる。
【図１】
2009116614.tif 000003
【図２】
2009116614.tif 000004
【図３】
2009116614.tif 000005
【図４】
2009116614.tif 000006
【図５】
2009116614.tif 000007
【図６】
2009116614.tif 000008
【図７】
2009116614.tif 000009
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
セル内のマルチメディアブロードキャスト・マルチキャストサービスを利用するユーザ装置とデータ通信を行う送受信ユニットと、
システムの現在利用可能な無線資源制御接続数を算出する算出ユニットと、
システムの現在利用可能な無線資源制御接続数および接続数の閾値に基づいて、マルチメディアブロードキャスト・マルチキャストサービスを利用するユーザ装置の無線資源制御状態を切替える必要があるか無いかを判定する実行判定ユニットと、
上記実行判定ユニットによりマルチメディアブロードキャスト・マルチキャストサービスを利用するユーザ装置の無線資源制御状態を切替える必要があると判定された場合、上記送受信ユニットを介して、セル内のマルチメディアブロードキャスト・マルチキャストサービスを利用する全ユーザ装置に測定報告要求を送信する要求ユニットと、
上記接続数の閾値と、上記送受信ユニットを介してマルチメディアブロードキャスト・マルチキャストサービスを利用するユーザ装置から受信されたパラメータの測定データとに基づいて、パラメータの精確基準測定閾値を確定し、当該精確基準測定閾値を、上記送信／受信ユニットを介して、セル内のマルチメディアブロードキャスト・マルチキャストサービスを利用する全ユーザ装置に送信する精確確定ユニットとを備える基地局。
【請求項２】
統計データまたは静的システムのパラメータによって、パラメータの概略基準測定閾値を確定する概略確定ユニットをさらに備え、
上記要求ユニットは、上記送受信ユニットを介して、セル内のマルチメディアブロードキャスト・マルチキャストサービスを利用する全ユーザ装置に、パラメータの概略基準測定閾値を送信することを特徴とする請求項１に記載の基地局。
【請求項３】
上記パラメータは、リファレンス信号の受信電力、チャネル品質インジケータ、パスロスの中の少なくとも一つを含むことを特徴とする請求項１または２に記載の基地局。
【請求項４】
上記概略確定ユニットおよび上記精確確定ユニットは、同じパラメータに対して、概略基準測定閾値および精確基準測定閾値を確定することを特徴とする請求項２に記載の基地局。
【請求項５】
上記概略確定ユニットおよび上記精確確定ユニットは、異なるパラメータに対して、別々に概略基準測定閾値および精確基準測定閾値を確定することを特徴とする請求項２に記載の基地局。
【請求項６】
上記算出ユニットは、現在確立済の無線資源制御接続数Ｎｃおよびシステムの最大利用可能な無線資源制御接続数Ｎｍａｘに基づいて、システムの現在利用可能な無線資源制御接続数Ｎａ＝Ｎｍａｘ−Ｎｃを算出することを特徴とする請求項１から５のいずれか一項に記載の基地局。
【請求項７】
上記接続数の閾値Ｎｔｈは、上記実行判定ユニットにより予め或いは動的に設定されており、
上記現在利用可能な無線資源制御接続数Ｎａが上記接続数の閾値Ｎｔｈより小さい場合、上記実行判定ユニットは、マルチメディアブロードキャスト・マルチキャストサービスを利用するユーザ装置の無線資源制御状態を切替える必要があると判定することを特徴とする請求項１記載の基地局。
【請求項８】
上記送受信ユニットを介してマルチメディアブロードキャスト・マルチキャストサービスを利用するユーザ装置から無線資源制御接続の要求を受取ると、上記送受信ユニットを介して、上記無線資源制御接続の要求を送信したマルチメディアブロードキャスト・マルチキャストサービスを利用するユーザ装置に、無線資源制御接続の開放情報を送信するとともに、当該マルチメディアブロードキャスト・マルチキャストサービスを利用するユーザ装置に対して臨時確立した無線資源制御の接続資源を開放する開放ユニットをさらに備えることを特徴とする請求項１または２に記載の基地局。
【請求項９】
上記実行判定ユニットによりマルチメディアブロードキャスト・マルチキャストサービスを利用するユーザ装置の無線資源制御状態を切替える必要がないと判定された場合、上記実行判定ユニットは、所定時間ウェイトし、上記算出ユニットを再起動することを特徴とする請求項１または２に記載の基地局。
【請求項１０】
マルチメディアブロードキャスト・マルチキャストサービスのセッションが終了したか否かを判定し、マルチメディアブロードキャスト・マルチキャストサービスのセッションが未終了であれば、所定時間ウェイトし、上記算出ユニットを再起動するセッション判定ユニットをさらに備えることを特徴とする請求項１または２に記載の基地局。
【請求項１１】
所属するセル内の基地局とデータ通信を行う送受信ユニットと、
上記送受信ユニットを介して上記所属するセル内の基地局から受信した測定報告要求に応じて、パラメータを測定し、さらに上記送受信ユニットを介して測定したパラメータのデータを報告する報告ユニットと、
上記送受信ユニットを介して上記所属するセル内の基地局から受信したパラメータの精確基準測定閾値、ユーザ装置自体のパラメータ実際測定値およびユーザ装置自体の無線資源制御状態によって、無線資源制御状態の切替えを起動するか否かを判定する起動判定ユニットとを備えることを特徴とするユーザ装置。
【請求項１２】
上記報告ユニットは、ユーザ装置自体のパラメータ実際測定値、および上記送受信ユニットを介して上記所属するセル内の基地局から受信したパラメータの概略基準測定閾値に基づいて、パラメータの測定データを報告するか否かを判定することを特徴とする請求項１１に記載のユーザ装置。
【請求項１３】
上記パラメータは、リファレンス信号の受信電力、チャネル品質インジケータ、パスロスの中の少なくとも一つを含むことを特徴とする請求項１１または１２に記載のユーザ装置。
【請求項１４】
上記パラメータの精確基準測定閾値および上記パラメータの概略基準測定閾値は、同じパラメータに対して確定されることを特徴とする請求項１２に記載のユーザ装置。
【請求項１５】
上記パラメータの精確基準測定閾値および上記パラメータの概略基準測定閾値は、異なるパラメータに対して別々に確定されることを特徴とする請求項１２に記載のユーザ装置。
【請求項１６】
ユーザ装置の状態が、無線資源制御の接続状態であるか、アイドル状態であるかを確認する状態確認ユニットをさらに備え、そのうち、
上記状態確認ユニットにより、上記ユーザ装置が無線資源制御の接続状態にあると確定された場合、上記報告ユニットは、上記測定報告要求に応じて、直接上記パラメータの測定データを報告し、
上記状態確認ユニットにより、上記ユーザ装置が無線資源制御のアイドル状態にあると確定された場合、上記報告ユニットは、上記測定報告要求に応じて、まず上記送信／受信ユニットを介してランダム接続の要求を送信し、上記送受信ユニットを介してランダム接続の応答を受取った場合、さらに上記送受信ユニットを介し、無線資源制御接続の確立要求を利用して、パラメータの測定データを報告することを特徴とする請求項１１または１２に記載のユーザ装置。
【請求項１７】
システムの現在利用可能な無線資源制御接続数を算出する算出ステップと、
システムの現在利用可能な無線資源制御接続数および接続数の閾値に基づいて、マルチメディアブロードキャスト・マルチキャストサービスを利用するユーザ装置の無線資源制御状態を切替える必要があるか無いかを判定する実行判定ステップと、
マルチメディアブロードキャスト・マルチキャストサービスを利用するユーザ装置の無線資源制御状態を切替える必要があると確定された場合、セル内のマルチメディアブロードキャスト・マルチキャストサービスを利用する全ユーザ装置に測定報告要求を送信する要求ステップと、
マルチメディアブロードキャスト・マルチキャストサービスを利用するユーザ装置が、受信した上記測定報告要求に応じてパラメータを測定し、その測定データを報告する報告ステップと、
上記接続数の閾値および上記報告した測定データに基づいてパラメータの精確基準測定閾値を確定し、当該精確基準測定閾値をセル内のマルチメディアブロードキャスト・マルチキャストサービスを利用する全ユーザ装置に送信する精確確定ステップと、
マルチメディアブロードキャスト・マルチキャストサービスを利用する各ユーザ装置が、受信したパラメータの精確基準測定閾値、自体のパラメータ実際測定値および自体の無線資源制御状態によって、無線資源制御状態の切替えを起動するか否かを判定する起動判定ステップとを備えることを特徴とする無線資源制御状態の切替え方法。
【請求項１８】
統計データまたは静的システムのパラメータによって、パラメータの概略基準測定閾値を確定する概略確定ステップをさらに備え、
上記要求ステップにおいて、マルチメディアブロードキャスト・マルチキャストサービスを利用する全ユーザ装置に概略基準測定閾値を送信し、
上記報告ステップにおいて、マルチメディアブロードキャスト・マルチキャストサービスを利用するユーザ装置は、自体のパラメータ実際測定値および受信したパラメータの概略基準測定閾値に基づいて、バラメータの測定データを報告するか否かを判定することを特徴とする請求項１７に記載の無線資源制御状態の切替え方法。
【請求項１９】
上記パラメータは、リファレンス信号の受信電力、チャネル品質インジケータ、パスロスの中の少なくとも一つを含むことを特徴とする請求項１７または１８に記載の無線資源制御状態の切替え方法。
【請求項２０】
上記概略確定ステップおよび上記精確確定ステップにおいて、同じパラメータに対して、概略基準測定閾値および精確基準測定閾値を確定することを特徴とする請求項１８に記載の無線資源制御状態の切替え方法。
【請求項２１】
上記概略確定ステップおよび上記精確確定ステップにおいて、異なるパラメータに対して、別々に概略基準測定閾値および精確基準測定閾値を確定することを特徴とする請求項１８に記載の無線資源制御状態の切替え方法。
【請求項２２】
現在確立済の無線資源制御接続数Ｎｃおよびシステムの最大利用可能な無線資源制御接続数Ｎｍａｘに基づいて、システムの現在利用可能な無線資源制御接続数Ｎａ＝Ｎｍａｘ−Ｎｃを算出することを特徴とする請求項１７から２１のいずれか一項に記載の無線資源制御状態の切替え方法。
【請求項２３】
上記接続数の閾値Ｎｔｈは、予め或いは動的に設定されており、
上記現在利用可能な無線資源制御接続数Ｎａが上記接続数の閾値Ｎｔｈより小さい場合、マルチメディアブロードキャスト・マルチキャストサービスを利用するユーザ装置の無線資源制御状態を切替える必要があると確定することを特徴とする請求項１７から２２のいずれか一項に記載の無線資源制御状態の切替え方法。
【請求項２４】
上記報告ステップにおいて、無線資源制御接続状態にあるマルチメディアブロードキャスト・マルチキャストサービスを利用するユーザ装置は、上記測定報告要求に応じて、直接上記パラメータの測定データを報告することを特徴とする請求項１７または１８に記載の無線資源制御状態の切替え方法。
【請求項２５】
上記報告ステップにおいて、無線資源制御アイドル状態にあるマルチメディアブロードキャスト・マルチキャストサービスを利用するユーザ装置は、上記測定報告要求に応じて、まずランダム接続の確立要求を送信し、ランダム接続の応答を受取った場合、さらに無線資源制御接続の確立要求を利用して、パラメータの測定データを報告することを特徴とする請求項１７または１８に記載の無線資源制御状態の切替え方法。
【請求項２６】
無線資源制御接続の確立要求を受取った後、マルチメディアブロードキャスト・マルチキャストサービスを利用するユーザ装置に、無線資源制御接続の開放情報を送信し、同時に、当該マルチメディアブロードキャスト・マルチキャストサービスを利用するユーザ装置に対して臨時に確立した無線資源制御接続の資源を開放することを特徴とする請求項２５に記載の無線資源制御状態の切替え方法。
【請求項２７】
上記実行判定ステップにおいて、マルチメディアブロードキャスト・マルチキャストサービスを利用するユーザ装置の無線資源制御状態を切替える必要がないと判定された場合、所定時間ウェイトし、算出ステップを再実行することを特徴とする請求項１７または１８に記載の無線資源制御状態の切替え方法。
【請求項２８】
マルチメディアブロードキャスト・マルチキャストサービスのセッションが終了したか否かを判定し、マルチメディアブロードキャスト・マルチキャストサービスのセッションが未終了であれば、所定時間ウェイトし、算出ステップを再実行するセッション判定ステップをさらに備えていることを特徴とする請求項１７または１８に記載の無線資源制御状態の切替え方法。
【請求項２９】
基地局は、無線資源制御接続数に関する判定条件によって、ユーザ装置の無線資源制御状態を切替える必要があるか無いかを判定し、
ユーザ装置は、基地局の制御シグナリングに応じて、パラメータの測定データを報告し、
基地局は、無線資源制御接続数に関する判定条件およびユーザ装置から報告されたパラメータの測定データに基づいて、パラメータの精確基準測定閾値を確定し、
ユーザ装置は、基地局により確定されたパラメータの精確基準測定閾値、自体のパラメータ実際測定値および自体の無線資源制御状態によって、無線資源制御状態の切替えを確定し起動することを特徴とする無線資源制御状態の切替え方法。
【請求項３０】
基地局は、制御シグナリングによって、設定したパラメータの概略基準測定閾値をユーザ装置に通知し、
ユーザ装置は、パラメータの概略基準測定閾値および自体のパラメータ実際測定値によって、パラメータの測定データを報告するか否かを判定することを特徴とする請求項２９に記載の無線資源制御状態の切替え方法。
【請求項３１】
上記パラメータは、リファレンス信号の受信電力、チャネル品質インジケータ、パスロスの中の少なくとも一つを含むことを特徴とする請求項２９または３０に記載の無線資源制御状態の切替え方法。
【請求項３２】
上記パラメータの精確基準測定閾値および上記パラメータの概略基準測定閾値は、同じパラメータに対して設定されたものであることを特徴とする請求項３０に記載の無線資源制御状態の切替え方法。
【請求項３３】
上記パラメータの精確基準測定閾値および上記パラメータの概略基準測定閾値は、異なるパラメータに対して別々設定されたものであることを特徴とする請求項３０に記載の無線資源制御状態の切替え方法。
【請求項３４】
基地局はユーザ装置に対してパラメータを通知し、前記ユーザ装置は通知されたパラメータに基づいて無線資源制御状態の切替えを確定して起動することを特徴とする無線資源制御状態の切替え方法。
【国際調査報告】
2009116614.tif 000010
2009116614.tif 000011